(57)【要約】【課題】  布線中に電線が電線支持部から溢れ出るのを防止する布線治具を提供する。【解決手段】  布線される電線Ｗを収納して支持する電線支持部２１を備えた布線治具において、前記電線支持部２１が固定支持体２３と、これに起立伏倒可能に対向配置されて、起立状態のとき先端間に電線Ｗを落とし込む狭幅隙間４３が形成されるように、先端側に内側突出部２５ａを有する複数個の電線案内部材２５と、上底部４７を有し内部に下方へ開口する空洞４９と、両側部に電線案内部材２５を挿通支持する挿通穴２９とが形成されて固定支持体２３に昇降可能に装着され、高位置に上昇したとき電線案内部材２５を起立状態に保持すると共に、低位置に降下したとき電線案内部材２５を伏倒状態に保持する可動支持体２７と、可動支持体２７の内部に設けられ、可動支持体２７を高位置に上昇させて電線案内部材２５を起立状態に保持するコイルばねからなる付勢部材３１とを備える。【選択図】        図１
2005116283.tif 000002
【特許請求の範囲】
【請求項１】
組立図板に立設され、布線される電線を収納して支持する電線支持部を備えた布線治具において、前記電線支持部が固定支持体と、固定支持体に起立伏倒可能に対向配置されて、起立状態のとき先端間に電線を落とし込む狭幅隙間が形成されるように、先端側に内側突出部を有する複数個の電線案内部材と、内部に下方へ開口する空洞と、両側部に電線案内部材を挿通支持する挿通穴とが形成されて固定支持体に昇降可能に装着され、高位置に上昇したとき電線案内部材を起立状態に保持すると共に、低位置に降下したとき電線案内部材を伏倒状態に保持する可動支持体と、可動支持体の空洞内に設けられて、可動支持体を高位置に上昇させるように付勢する付勢部材とを備えたことを特徴とする布線治具。
【請求項２】
前記可動支持体が上底部を有し、可動支持体の空洞内における上底部と固定支持体との間にコイルばねからなる付勢部材が設けられることを特徴とする請求項１記載の布線治具。
【請求項３】
前記狭幅隙間が電線案内部材の対向する先端位置を上下方向にずらして横方向に開口するように形成されることを特徴とする請求項１又は２記載の布線治具。
【発明の詳細な説明】
【技術分野】
【０００１】
本発明はワイヤーハーネスを組み立てる際に使用される布線治具に関するものである。
【背景技術】
【０００２】
一般に自動車等に多用されているワイヤーハーネスを組み立てる場合には、組立図板上に描かれた布線図に基づいて所定間隔をおいて立設された複数個の布線治具で、所定長さに計尺切断された複数本の電線を組立図板の布線図に沿って案内しながら布線する。次に、これら電線を分岐点等の要所でテープ結束をして所要の枝形状を呈する電線束を形成する。次に、この電線束を布線治具から取り出し、この電線束にクランプその他の付属部品を取り付けることにより行う。
【０００３】
ところで、電線を布線するのに使用される布線治具は、電線を収納して支持する電線支持部を備えているが、布線中に電線支持部内に収納された電線が浮き上がって電線支持部から溢れ出てしまうことがあり、溢れ出た電線を布線治具の電線支持部内に戻して掛け直す作業が煩雑で、ワイヤーハーネスの組立作業能率が低下する問題がある。
【０００４】
このような問題を解決するため、ワイヤーハーネス組立の際、布線中に布線治具の電線支持部内に収納された電線が電線支持部から溢れ出ないように工夫された布線治具として、図６（Ａ）乃至（Ｃ）に示す構成のものが提案されている。
【０００５】
この布線治具は、ワイヤーハーネスの組立図板１に立設された支柱２の上端に、組立図板１の布線図に沿って布線される電線Ｗを収納して支持する電線支持部３を備えている。その電線支持部３は上方開口溝形状になっている。また、開口部を開閉すると共に内部に収納された電線Ｗを押え込む電線押え用回動レバー４と、収納される電線Ｗの容量別に電線押え用回動レバー４の押え位置を設定する複数の係止ピン５Ａ、５Ｂ、５Ｃ及び複数の係止溝６からなる係止機構を有し、電線押え用回動レバー４を電線押え方向にばね付勢し得るように構成される。そして、布線される電線Ｗの本数に応じて電線押え用回動レバー４の止め位置を変えて開口部の面積を変更できるようにしてある（特許文献１参照）。
【０００６】
また、他の布線治具としては、図７に示すように、ワイヤーハーネスの組立図板１に立設された支柱２の上端に、組立図板１の布線図に沿って布線される電線Ｗを収納して支持する電線支持部７を備えている。その電線支持部７は下端が支柱２に取り付けられる略半円弧状をなす固定の第１の湾曲部材８と、一端部９ａが第１の湾曲部材８の一端部８ａに回動自在に設けられており、他端部９ｂが第１の湾曲部材８の他端部８ｂに当接することによって、第１の湾曲部材８と協働して電線束ＢＷを取り囲む略円形の取囲空間１０を形成する第１の姿勢と、他端部９ｂが第１の湾曲部材８の他端部８ｂから離反することによって、上記空間１０を開放する第２の姿勢との間で変位可能な可動の第２の湾曲部材９とを有している。また、第２の湾曲部材９には、これを第１の湾曲部材８側に回動させるためのレバー１１が設けられ、このレバー１１には第２の湾曲部材９が開く方向（白抜き矢印方向）に回動変位したとき、当該変位に応じた大きさの力で第２の湾曲部材９を反変位方向側へ引っ張る無端のゴムバンド１２が連結されている（特許文献２参照）。
【０００７】
【特許文献１】特開平９−１４７６４４号公報（発明の詳細な説明の項の段落番号００１４乃至００１７、図１（Ａ）乃至（Ｃ））
【特許文献２】特開平９−１７２５１号公報（発明の詳細な説明の項の段落番号００２９及び００３０、図１）
【発明の開示】
【発明が解決しようとする課題】
【０００８】
前者、即ち、特許文献１に記載された布線治具は、電線支持部３が上方開口溝形状になっていて開口部が大きいため、布線中に多数本の電線Ｗを円滑に挿入して収納することができる反面、電線Ｗを電線押え用回動レバー４により確実に押えることが困難で、電線支持部内に収納された電線Ｗが浮き上がって溢れ出るのを確実に防止することができないという問題がある。また、電線Ｗが溢れ出るのを確実に防止しようとすると、電線支持部３を大きくする必要があるため、組立図板1に布線治具を立設するのにスペースを要し、ワイヤーハーネスの組立作業の邪魔になって作業性を低下させる問題がある。
【０００９】
後者、即ち、特許文献２に記載された布線治具は、電線支持部７内に電線Ｗを落とし込んで収納する際、電線支持部７を構成する第１の湾曲部材８の他端部８ｂと第２の湾曲部材９の他端部９ｂ同士が当接されているので、他端部９ｂ相互を押し広げて電線支持部７の取囲空間１０内に収納された電線Ｗが電線支持部７から溢れ出にくくなる。しかしながら、第２の湾曲部材９を回動させるレバー１１及びゴムバンド１２が電線支持部７の外側に露出していて、第２の湾曲部材９が回動の際、外方へ突出するため、布線治具の形状が大型になる。このため、組立図板1に布線治具を立設するのにスペースを要し、ワイヤーハーネスの組立作業の邪魔になって作業性を低下させる問題がある。
【００１０】
本発明は上記課題を解決するためになされたもので、布線中に電線が電線支持部から溢れ出るのを防止すると共に、構造が小型でスペースをとらず、組立図板上に立設するのが容易であり、更に電線支持部に支持された電線束を簡単に取り出すことが可能で、ワイヤーハーネスの組立作業性を向上させることができる布線治具を提供することを目的とする。
【課題を解決するための手段】
【００１１】
本発明の請求項１に記載された発明は、組立図板に立設され、布線される電線を収納して支持する電線支持部を備えた布線治具において、前記電線支持部が固定支持体と、固定支持体に起立伏倒可能に対向配置されて、起立状態のとき先端間に電線を落とし込む狭幅隙間が形成されるように、先端側に内側突出部を有する複数個の電線案内部材と、内部に下方へ開口する空洞と、両側部に電線案内部材を挿通支持する挿通穴とが形成されて固定支持体に昇降可能に装着され、高位置に上昇したとき電線案内部材を起立状態に保持すると共に、低位置に降下したとき電線案内部材を伏倒状態に保持する可動支持体と、可動支持体の空洞内に設けられて、可動支持体を高位置に上昇させるように付勢して電線案内部材を起立状態に保持する付勢部材とを備えたことを特徴とするものである。
【００１２】
本発明の請求項２に記載された発明は、請求項１記載の布線治具において、前記可動支持体が上底部を有し、可動支持体の空洞内における上底部と固定支持体との間にコイルばねからなる付勢部材が設けられることを特徴とするものである。
【００１３】
本発明の請求項３に記載された発明は、請求項１又は２記載の布線治具において、前記狭幅隙間が電線案内部材の対向する先端位置を上下方向にずらして横方向に開口するように形成されることを特徴とするものである。
【発明の効果】
【００１４】
本発明の請求項１に記載された布線治具によると、電線支持部内に電線を収納して支持するに際し、可動支持体を高位置に上昇させて電線支持部の電線案内部材を起立状態に保持したとき、電線案内部材はその先端側に内側突出部を有するため、電線案内部材の先端間に電線を落とし込む狭幅隙間が形成される。この狭幅隙間により、電線の浮き上がりが阻まれて、電線が電線支持部から狭幅隙間を通して外部に溢れ出るのを確実に防止することができる。
【００１５】
また、電線案内部材の先端間に狭幅隙間が形成されているため、電線案内部材の先端を押し広げて電線を落とし込む必要がなく、電線を電線支持部内に円滑、且つ容易に収納して保持することができる。
【００１６】
また、可動支持体の空洞内における上底部と固定支持体との間に、可動支持体を高位置に上昇させるように付勢して電線案内部材を起立状態に保持する付勢部材が設けられるので、電線支持部の外側に露出せず、布線治具の形状が小型になる。従って、組立図板に布線治具を立設するのにスペースを取らず、組立図板に布線治具を容易に立設することができる。
【００１７】
また、可動支持体を低位置に降下させると、起立状態に保持された電線案内部材が回動して伏倒状態に保持されるので、電線支持部内に収納して保持された電線束を容易に取り出すことができる。
【００１８】
このように、可動支持体を固定支持体に対して昇降させるだけの簡単な操作で、電線案内部材を起立状態にして電線を収納して保持したり、電線案内部材を伏倒状態にして保持された電線束を取り出したりすることが確実に行えるので、ワイヤーハーネスの組立作業性を向上させることができる。
【００１９】
本発明の請求項２に記載された布線治具によると、可動支持体の空洞内に付勢部材を設けることが容易になって布線治具の構造が簡単になるほか、可動支持体の昇降動作が確実になって布線治具の信頼性を向上させることができる。
【００２０】
本発明の請求項３に記載された布線治具によると、電線支持部の前記狭幅隙間が横方向に開口して形成されるので、電線を横方向から狭幅隙間に通して速やかに電線支持部内に収納することが可能になり、布線の作業性をより高めることができる。
【発明を実施するための最良の形態】
【００２１】
次に、本発明の実施形態を図面により詳細に説明する。図１は本発明に係る布線治具の一実施形態を示し、電線案内部材が起立状態に保持されて組立図板に立設された状態の一部断面正面図、図２はその構成部品である固定支持体の主要部を示す斜視図、図３は可動支持体を示す斜視図、図４は図１の布線治具において、電線案内部材が伏倒状態に保持された状態を示す正面図である。
【００２２】
本実施形態の布線治具は、図１に示すように、組立図板１に支柱２を介して立設され、組立図板（布線板）１の布線図に沿って布線される複数本の電線Ｗを収納して支持する電線支持部２１を備える。電線支持部２１は、固定支持体２３と、固定支持体２３の幅方向、即ち、電線Ｗが布線される方向と直交する左右方向の両側部に起立伏倒可能に対向配置される、複数個、例えば、一対の電線案内部材２５と、両側部に電線案内部材２５を挿通支持する角形状の一対の挿通穴２９が形成されて固定支持体２３に昇降可能に装着される可動支持体２７と、可動支持体２７の内部に設けられて、可動支持体２７を高位置に上昇させるように付勢する付勢部材３１とを備えている。
【００２３】
更に詳細に説明すると、固定支持体２３は、図１、２に示すように、中央下部が支柱２の上部にボルト、ねじ、又は溶接等により取り付け固定される矩形状の支持板３３と、その幅方向（左右方向）の両側部に上方へ一体に突設された一対の鍔部３５とからなる。一対の鍔部３５は、前後方向、即ち、電線Ｗが布線される方向の中央に前記電線案内部材２５を回動自在に枢着するためのＵ形状の凹溝３７と、前後方向の側部に前後方向に貫通する長穴３９とが設けられている。なお、４１は支持板３３の中央上部に突設され、付勢部材３１を位置決め支持する受座である。
【００２４】
一対の電線案内部材２５は、図１、２に示すような断面角形状又は断面円形状、断面楕円形状等の軸棒状体からなる。そして、電線案内部材２５が起立状態のとき、その対向する先端位置を上下方向に同じ高さ位置に揃えて、先端間に電線Ｗを落とし込む狭幅隙間４３が上方に開口して形成されるように、先端側に内側突出部２５ａを有する。内側突出部２５ａは、図示例では、電線案内部材２５の先端側を内側に湾曲するように折り曲げることにより一体に設けられるが、電線案内部材２５の先端側にこれとは別体に螺着、溶接等により設けられるようにしてもよい。電線案内部材２５の下端側の基部２５ｂには、例えば、これに前後方向に形成されたピン挿入穴（図示せず）に嵌着して固定される支持ピン４５が突設され、該支持ピン４５が固定支持体２３の鍔部３５に設けられた長穴３９に回動自在に枢着される。これにより、各電線案内部材２５が固定支持体２３に対して起立伏倒可能に支持される。
【００２５】
支持ピン４５が固定支持体２３の長穴３９に枢着されていると、電線案内部材２５の回動が円滑になり、起立伏倒が容易になるので好ましい。また、狭幅隙間４３の間隔は電線外径と同一、又は、少し大きな寸法に設定されている。このように設定されていると、電線Ｗを電線支持部２１内に円滑に落とし込むことができると共に、電線支持部２１内に落とし込まれた電線Ｗが電線支持部２１から溢れ出にくくなるので好ましい。
【００２６】
可動支持体２７は、図１、３に示すように、上底部４７を有し内部に下方へ開口する空洞４９が形成された矩形箱体からなる。角形状の挿通穴２９は可動支持体２７の両側部の耳部２７ａから胴部２７ｂに向けて上下方向に挿通される。また、耳部２７ａの上部には段状突起２７ｃが形成され、該段状突起２７ｃから下方に向けて横方向（水平方向）に伏倒状態の電線案内部材２５を受け入れて支持する上方が開口する凹溝２８が形成されている。更に、耳部２７ａの前面及び後面（図示せず）には、上下方向に延出する長穴３０が形成され、この長穴３０に前記電線案内部材２５の基部２５ｂに突設された支持ピン４５が挿通される。この可動支持体２７は、該挿通穴２９に電線案内部材２５が挿通して固定支持体２３に昇降可能に装着される。この際、本実施形態のように、支持ピン４５が長穴３０に挿通される構成になっていると、支持ピン４５が係止部材になって可動支持体２７の固定支持体２３からの脱着を防止すると共に、可動支持体２７の稼動寸法、即ち、昇降距離を管理することが可能になるほか、支持ピン４５がガイド部材になって可動支持体２７の昇降動作を円滑に行うことができるので好ましい。なお、上底部４７は、図示例では穴のない板材で構成されるが、可動支持体２７内に付勢部材３１を設け易いように、適当な形状、大きさ、個数の穴を有する板材で構成されるものでもよい。また、上底部４７は可動支持体２７の強度を維持し、且つ付勢部材３１を支持し得るならば、型材、条材等を十字（クロス）状、格子状等の枠形状に構成されるものでもよい。
【００２７】
付勢部材３１は、図示のような圧縮用のコイルばね、皿ばね等の板ばね、空気ばね等からなり、図１に示すように、可動支持体２７の空洞４９内における上底部４７と固定支持体２３の支持板３３との間に設けられて、可動支持体２７を高位置に上昇させるように付勢する役目をする。なお、５１は可動支持体２７の上底部４７の中央下部に突設され、付勢部材３１を位置決め支持する受座である。付勢部材３１が図示のようなコイルばねからなり、可動支持体２７の空洞４９内における上底部４７と固定支持体２３との間に設けられていると、可動支持体２７の空洞４９内に付勢部材３１を設けることが容易になって布線治具の構造が簡単になるほか、可動支持体２７の昇降動作が確実になって布線治具の信頼性を向上させることができる。
【００２８】
電線支持部２１の可動支持体２７が、図１に示すように、付勢部材３１の付勢により高位置に上昇すると、電線案内部材２５が可動支持体２７の上昇に伴い回動して起立し、可動支持体２７における挿通穴２９の耳部２７ａの穴内面と胴部２７ｂの穴内面に挟まれるように当接して、その起立状態が保持される。その結果、電線支持部２１内に電線Ｗを収納して保持する布線作業を行うことが可能になる。
【００２９】
一方、可動支持体２７が、図４に示すように、付勢部材３１の付勢に抗して低位置に降下すると、電線案内部材２５が可動支持体２７の降下に伴い逆方向に回動して伏倒し、該部材２５の支持ピン４５近傍下面が可動支持体２７の耳部２７ａに形成された凹溝２８の底部２８ａに当接する。そして、電線案内部材２５が伏倒すると、その自重に基づく曲げモーメントが可動支持体２７を上昇させようとする付勢部材３１の付勢力に基づく曲げモーメントよりも大きくなるので、可動支持体２７の上昇が阻止され、電線案内部材２５の伏倒状態が保持される。その結果、電線支持部２１内に収納、保持して布線された電線Ｗにテープ結束をして形成された電線束ＢＷを電線支持部２１から取り出すことが可能にする。
【００３０】
なお、電線案内部材２５を図４に示すような伏倒状態から図１に示すような起立状態に戻す場合には、電線案内部材２５を手動等で軽く回動傾斜させる。そうすると、可動支持体２７を上昇させようとする付勢部材３１の付勢力に基づく曲げモーメントの方が電線案内部材２５の自重に基づく曲げモーメントよりも大きくなってくるので、可動支持体２７が付勢部材３１の付勢力で上昇する。これに伴って、電線案内部材２５が可動支持体２７における凹溝２８の底部２８ａで押し上げられて、更に上方へ回動して起立し、前記したように起立状態に保持される。
【００３１】
また、電線案内部材２５を図１に示すような起立状態から図４に示すような伏倒状態に回動する場合には、可動支持体２７を手動等で図４の矢印に示すように付勢部材３１の付勢力に抗して下方に押し込む。そうすると、電線案内部材２５が可動支持体２７における挿通穴２９の耳部２７ａの穴内面で支持されなくなるので、作業者が電線案内部材２５に触れるだけで、或いは、該部材２５の自重で、電線案内部材２５が容易に回動して伏倒し、前記したように伏倒状態に保持される。従って、可動支持体２７もその押し込み力の解除に伴って上昇することがなく、図４に示すように低位置に保持される。
【００３２】
本実施形態の布線治具は上記のような構成になっている。この布線治具を組み立てる場合には、例えば、予め可動支持体２７の挿通穴２９に支持ピン４５が未嵌着状態の電線案内部材２５を挿通すると共に、可動支持体２７の上底部４７の下部に突設された受座５１に付勢部材３１を支持させておく。次に、この可動支持体２７を固定支持体２３の一対の鍔部３５を覆うように被せ、このような状態で電線案内部材２５の基部２５ｂを固定支持体２３の鍔部３５に設けられた凹溝３７に嵌合して、該基部２５ｂに支持ピン４５を可動支持体２７の長穴３０及び鍔部３５の長穴３９を通して嵌着して固定する。このようにして、可動支持体２５を固定支持体２３に装着すると共に、付勢部材３１の下部を固定支持体２３の支持板３３に突設された受座４１に支持させることにより行う。
【００３３】
上記布線治具を使用してワイヤーハーネスを組み立てる場合には、図１に示すように、電線案内部材２５を起立状態に保持して電線支持部２１を閉じた状態にある所定数（複数）の布線治具を、組立図板１上に描かれた布線図（図示せず）に基づいて所定間隔をおいて立設する。次に、所定長さに計尺切断され、必要に応じて接続用端子等が取り付けられた複数本の電線Ｗを順次布線治具に沿って案内しながらその電線支持部２１の狭幅隙間４３から落とし込んで電線支持部２１内に収容、保持して布線する。次に、これら電線を分岐点等の要所でテープ結束をして所要の枝形状を呈する電線束ＢＷを形成する。次に、電線支持部２１の可動支持体２７を、図４に示すように、下方に押し下げて電線案内部材２５を伏倒状態に倒して保持し、電線支持部２１を開き、電線束ＢＷを布線治具から取り出す。そして、この電線束ＢＷにクランプその他の付属部品を取り付けて所望のワイヤーハーネスを組み立てる。
【００３４】
上記のように本発明の布線治具によると、電線支持部２１内に電線Ｗを収納して支持するに際し、可動支持体２７を高位置に上昇させて電線支持部２１の電線案内部材２５を起立状態に保持したとき、電線案内部材２５はその先端側に内側突出部２５ａを有するため、電線案内部材２５の先端間に電線Ｗを落とし込む狭幅隙間４３が形成される。この狭幅隙間４３により、電線Ｗの浮き上がりが阻まれて、電線Ｗが電線支持部２１から狭幅隙間４３を通して外部に溢れ出るのを確実に防止することができる。
【００３５】
また、電線案内部材２５の先端間に狭幅隙間４３が形成されているため、電線案内部材２５の先端を押し広げて電線Ｗを落とし込む必要がなく、電線Ｗを電線支持部２１内に円滑、且つ容易に収納して保持することができる。
【００３６】
また、可動支持体２７の空洞４９内に、可動支持体２７を高位置に上昇させるように付勢して電線案内部材２５を起立状態に保持する付勢部材３１が設けられるので、付勢部材３１が電線支持部２１の外側に露出せず、布線治具の形状が小型になる。従って、組立図板１に布線治具を立設するのにスペースを取らず、組立図板１に布線治具を容易に立設することができる。
【００３７】
また、可動支持体２７を低位置に降下させると、起立状態に保持された電線案内部材２５が回動して伏倒状態に保持されるので、電線支持部２１内に収納して保持された電線束ＢＷを容易に取り出すことができる。
【００３８】
このように、可動支持体２７を固定支持体２３に対して昇降させるだけの簡単な操作で、電線案内部材２５を起立状態にして電線Ｗを収納して保持したり、電線案内部材２５を伏倒状態にして保持された電線束ＢＷを取り出したりすることが確実に行えるので、ワイヤーハーネスの組立作業性を向上させることができる。
【００３９】
上記実施形態の布線治具では、電線支持部２１における前記電線案内部材２５が起立状態のとき、狭幅隙間４３が電線案内部材２５、即ち、内側突出部２５ａの対向する先端位置を上下方向に同じ高さ位置に揃えて上方向に開口するように形成されるものである。これに対して、図５に示すように、狭幅隙間４３が電線案内部材２５、即ち、内側突出部２５ａの対向する先端位置を上下方向、例えば、図示例のように、左側の電線案内部材２５、即ち、内側突出部２５ａの先端位置が右側のものよりも低くなるようにずらして、横方向、即ち、図示例では、左側方に開口するように形成されるようにしてもよい。
【００４０】
このように、電線支持部２１の狭幅隙間４３が横方向に開口して形成されていると、電線Ｗを横方向（図示例では、左側方）から狭幅隙間４３に通して速やかに電線支持部内に収納することが可能になり、布線の作業性をより高めることができる。
【図面の簡単な説明】
【００４１】
【図１】本発明に係る布線治具の一実施形態を示し、電線案内部材が起立状態に保持されて組立図板に立設された状態の一部断面正面図である。
【図２】図１の布線治具の構成部品である固定支持体の主要部を示す斜視図である。
【図３】図１の布線治具の構成部品である可動支持体を示す斜視図である。
【図４】図１の布線治具において、電線案内部材が伏倒状態に保持された状態を示す正面図である。
【図５】図１の布線治具において、狭幅隙間の変形例を示す概要図である。
【図６】従来の布線治具を示すもので、（Ａ）はその正面図、（Ｂ）はその係止機構の拡大側面図、（Ｃ）は該治具の作用状態を示す斜視図である。
【図７】従来の他の布線治具を示す斜視図である。
【符号の説明】
【００４２】
１      組立図板
２      支柱
２１    電線支持部
２３    固定支持体
２５    電線案内部材
２５ａ  内側突出部
２５ｂ  基部
２７    可動支持体
２７ａ  耳部
２７ｂ  胴部
２７ｃ  段状突起
２８    凹溝
２８ａ  底部
２９    挿通穴
３０    長穴
３１    付勢部材
３３    支持板
３５    鍔部
３７    凹溝
３９    長穴
４１    受座
４３    狭幅隙間
４５    支持ピン
４７    上底部
４９    空洞
５１    受座
Ｗ      電線
ＢＷ    電線束
【図１】
2005116283.tif 000003
【図２】
2005116283.tif 000004
【図３】
2005116283.tif 000005
【図４】
2005116283.tif 000006
【図５】
2005116283.tif 000007
【図６】
2005116283.tif 000008
【図７】
2005116283.tif 000009